(57)【要約】【課題】作業安全上の問題を回避し、かつ作業効率の向上を図る下水管の洗浄方法を供する【解決手段】下水管１内に変流ボール７を入れ、該変流ボール７を下水の流出方向とは反対方向に強制移動させることにより下水管１内に残溜または付着する汚物を排出除去する洗浄方法であって、下水管１内の管底５ａに配して複数回強制移動させる第１工程と、該第１工程終了後上記変流ボール７を下水管１内の上壁５ｂに配して複数回強制移動させる第２工程とからなる。【選択図】　　　　図１
2004116057.tif 000002
【特許請求の範囲】
【請求項１】
下水管内に変流ボールを入れ、該変流ボールを下水の流出方向とは反対方向に強制移動させることにより下水管内に残溜または付着する汚物を排出除去する洗浄方法であって、上記変流ボールの表面は弾性部材で形成され、上記変流ボールを下水管内に配して複数回強制移動させることを特徴とする下水管の洗浄方法。
【請求項２】
請求項１記載の下水管の洗浄方法において、上記変流ボールを下水管の管底に配することを特徴とする下水管の洗浄方法。
【請求項３】
請求項１記載の下水管の洗浄方法において、上記変流ボールを下水管の上壁に配することを特徴とする下水管の洗浄方法。
【請求項４】
請求項１記載の下水管の洗浄方法において、上記変流ボールを下水管内の管底に配して複数回強制移動させる第１工程と、該第１工程終了後上記変流ボールを下水管内の上壁に配して複数回強制移動させる第２工程とからなることを特徴とする下水管の洗浄方法。
【請求項５】
請求項１記載の下水管の洗浄方法において、変流ボールが球であることを特徴とする下水管の洗浄方法。
【請求項６】
請求項１記載の下水管の洗浄方法において、変流ボールが楕円体であることを特徴とする下水管の洗浄方法。
【請求項７】
請求項１記載の下水管の洗浄方法において、変流ボールの表面に突起を設けたことを特徴とする下水管の洗浄方法。
【請求項８】
請求項１記載の下水管の洗浄方法において、上記変流ボールが中空であることを特徴とする下水管の洗浄方法。
【請求項９】
請求項１記載の下水管の洗浄方法において、上記変流ボールが中実であることを特徴とする下水管の洗浄方法。
【請求項１０】
請求項１記載の下水管の洗浄方法において、上記変流ボールを直径の小のものから段々に大のものにして作業することを特徴とする下水管の洗浄方法。
【発明の詳細な説明】
【０００１】
【発明の属する技術分野】
本願発明は、下水管の洗浄方法に関し、とくに下水管内に残溜又は付着する汚物を排出除去する方法に関する。
【０００２】
【従来の技術】
従来、下水管、とくに下水管と下水管とを連結・横断する横断管たる下水管内の沈砂と呼ばれる固形汚物を排出除去するには、作業員がマンホールから下水管内に入りスコップにより固形汚物を掘出したり掻出したりしていた。
【０００３】
また下水管内の上壁に付着するスカムと呼ばれる油状汚物の排出除去も同様に人力によりなされていた。
【０００４】
【発明が解決しようとする課題】
しかし、この作業は有害ガス等が発生するおそれがあり、また管内作業となるため、安全上問題があるだけでなく、効率が上がらないという欠点があった。
【０００５】
本願発明は上記背景に鑑み、作業安全上の問題を回避し、かつ作業効率の向上を図る下水管の洗浄方法を供することを目的とする。
【０００６】
【課題を解決するための手段】
上記目的達成のため、本願発明による下水管の洗浄方法は、下水管内に変流ボールを入れ、該変流ボールを下水の流出方向とは反対方向に強制移動させることにより下水管内に残溜または付着する汚物を排出除去する洗浄方法であって、上記変流ボールの表面は弾性部材で形成され、上記変流ボールを下水管内に配して複数回強制移動させることを特徴とする。
また、請求項１記載の下水管の洗浄方法において、上記変流ボールを下水管の管底に配することを特徴とする。
また、請求項１記載の下水管の洗浄方法において、上記変流ボールを下水管の上壁に配することを特徴とする。
また、請求項１記載の下水管の洗浄方法において、上記変流ボールを下水管内の管底に配して複数回強制移動させる第１工程と、該第１工程終了後上記変流ボールを下水管内の上壁に配して複数回強制移動させる第２工程とからなることを特徴とする。
また、請求項１記載の下水管の洗浄方法において、変流ボールが球であることを特徴とする。
また、請求項１記載の下水管の洗浄方法において、変流ボールが楕円体であることを特徴とする。
また、請求項１記載の下水管の洗浄方法において、変流ボールの表面に突起を設けたことを特徴とする。
また、請求項１記載の下水管の洗浄方法において、上記変流ボールが中空であることを特徴とする。
また、請求項１記載の下水管の洗浄方法において、上記変流ボールが中実であることを特徴とする。
また、請求項１記載の下水管の洗浄方法において、上記変流ボールを直径の小のものから段々に大のものにして作業することを特徴とする。
【０００７】
【発明の実施の形態】
次に、実施の形態を示す図面に基づき本願発明による下水管の洗浄方法をさらに詳しく説明する。
【０００８】
図１は、下水管１と下水管３との間を連結・横断する横断管５たる下水管の管底に残溜する沈砂と呼ばれる固形汚物４を排出除去する場合を示す。固形汚物４の滞積量は管径の１０％位から数十％であることが多い。
【０００９】
このような横断管５の中に設置される変流ボール７は中空の球に形成され、対向する周面上に通線ロッド９、９を設ける。変流ボール７の表面はゴムその他の弾性部材で被覆される。弾性部材の厚さはこの実施例では１０ｍｍとしてある。変流ボール７の直径は横断管５の直径の半分程度（図示実施の形態では変流ボール７の直径７００ｍｍ、横断管５の直径１４００ｍｍ）とされる。該通線ロッド９、９を通線ワイヤ１１に連結する。
【００１０】
該通線ワイヤ１１は上流側のマンホール１３と下流側のマンホール１５との間に掛け渡され、ウィンチ１７、１８により上流側のマンホール１３の方に巻き上げられる。１９は下流側のマンホール１５に掻出された固形汚物４を地上に排出するクラムシェル、２０、２１は有害ガスの発生に備えて設けられる送風機、２３は地上に排出された固形汚物４を積載するダンプトラック、２５は下水、２７は横断管５内の上壁に付着するスカムと呼ばれる油状汚物である。
【００１１】
次に作業手順及び作用・効果を説明する。まず、汚物の排出側となる下流側のマンホール１５の底に溜まっている固形汚物４をクラムシェル１９にて排出除去する。
【００１２】
次に、上流側のマンホール１３から下流側のマンホール１５まで通線ワイヤ１１を掛け渡す。この通線ワイヤ１１に変流ボール７を連結し、図１に示すように横断管５内の管底５ａに配する。
【００１３】
変流ボール７は当初始点Ａの位置にあり、終点Ｂの位置までウィンチ１７、１８により下水２５の流出方向（矢印Ｐ方向）とは反対方向（矢印Ｑ方向）、即ち、下流から上流の方に変流ボール７を巻き上げていく。
【００１４】
すると横断管５の管内は変流ボール７が存在することにより内径が小となる。他方、管内を流れる下水２５の量は変わらない。したがって、管内を流れる下水２５の水圧と流速が大となり、また変流ボール７付近の水流に渦流を発生する。
【００１５】
これにより、変流ボール７がある付近の横断管５の管底に残溜する固形汚物４が掻出され、また変流ボール７がある付近の横断管５内の管壁に付着したスカムと呼ばれる油状汚物２７が除去され、これらが下流側のマンホール１５に排出される。
【００１６】
上記変流ボール７を強制移動しながら、かかる作業を少しずつ始点Ａより終点Ｂに向けて行なっていく。これが第１工程である。上記第１工程は通常２〜３回繰り返される。
【００１７】
横断管５内の管壁とくに上壁に付着した油状汚物２７が多く上記第１工程だけでは除去できないときは、上記第１工程に続け、次の第２工程に移行する。
【００１８】
即ち、図２に示すように変流ボール７を横断管５内の上壁５ｂに配し、始点Ｃの位置より終点Ｄの位置まで、ウィンチ１７、１８により強制移動する。
【００１９】
すると、水圧と流速が大となる下水２５の力と変流ボール７付近に発生する渦流とがより上壁５ｂに近いところで作用するため、管壁面に付着した油状汚物２７を除去することができるのである。上記第２工程は通常２〜３回繰り返される。
【００２０】
こうして排出除去された固形汚物４及び油状汚物２７をクラムシェル１９により地上に排出し、ダンプトラック２３に積載して運搬するのである。
【００２１】
このように本実施の形態によれば、従来のように作業員を横断管５内に入れて作業させる必要がないから、作業安全上の問題を回避することができる。また作業を機械により、即ち、変流ボール７を下水２５の流出方向とは反対方向に強制移動させ、下水管１に溜っている下水２５の力により固形汚物４及び油状汚物２７を排出除去するので、作業が効率的に行なわれる。
【００２２】
また、変流ボール７が水流に抗して強制移動するとき、横断管５の管底５ａあるいは上壁５ｂに当たる。しかし、表面が弾性部材であるため、横断管５に与える衝撃が少なく、下水管を損傷しない。これは表面が弾性変形するためである。
【００２３】
弾性変形された表面が原形に復帰するときの反発力により、変流ボール７付近の水流に発生する渦流がより強く形成される。これにより、変流ボール７がある付近の横断管５の管底５ａに残溜する固形汚物４あるいは上壁５ｂに付着する油状汚物２７の除去力が一層強力となる。
【００２４】
本願発明による下水管の洗浄方法は上記した実施の形態に限定されない。例えば、図示実施の形態では上流側の下水管１及び下流側の下水管３と横断管５との間に段差がある場合を例に説明したが、両者の間に段差がない場合であってもよい。
【００２５】
また、下水管の汚れがあまりひどくないときは第１工程のみで終了してもよい。あるいは、上記した第２工程のみを独立して施工する場合も考えられる。
【００２６】
変流ボール７の形状は任意であり、例えば図４に示すような楕円体のもの、あるいは図５に示すような変流ボール７の表面に突起８を設けたものであってもよい。
【００２７】
突起８は図４に示すような楕円体のものに付与することもできる。これらの場合は、変流ボール７の楕円体あるいは突起８により渦流の発生が一層大となるので、汚物の除去効果が一層向上する。
【００２８】
また管内には何があるか判らないので、変流ボール７が図３のような球であれば、作業中管内につかえたとき引張り出すのが容易である。
【００２９】
また、変流ボールは中空であっても中実であってもよい。素材は任意である。上記した第１工程のように下水管内の管底に配する場合は例えば鉄製のもが考えられ、また上記した第２工程のように下水管内の上壁に配する場合は例えばアルミニウム製のもの等が考えられる。あるいは変流ボール７の全部を樹脂で形成することも考えられる。
【００３０】
また、上記変流ボール７は直径の小のものから段々に大のものを使用して作業すると、管内に付着した汚物の除去に応じて大径の変流ボール７による作業が可能となり効率が一層向上する。
【００３１】
また、変流ボール７の移動媒体は任意であり、ワイヤのほかチェーン等が考えられる。
【００３２】
さらに、洗浄の対象となる管は横断管のみでなく、一般の下水管にも適用することができる。
【００３３】
【発明の効果】
このように、本願発明にかかる下水管の洗浄方法によれば、作業安全上の問題を回避し、かつ作業効率の向上を図る効果がある。
【図面の簡単な説明】
【図１】本願発明による下水管の洗浄方法の実施の形態を示した断面図である。
【図２】本願発明による下水管の洗浄方法の実施の形態を示した断面図である。
【図３】本願発明方法に用いる変流ボールの一実施例を示す正面図である。
【図４】本願発明方法に用いる変流ボールの他の実施例を示す正面図である。
【図５】本願発明方法に用いる変流ボールのさらに他の実施例を示す正面図である。
【符号の説明】
１　　下水管
３　　下水管
４　　固形汚物
５　　下水管（横断管）
５ａ　管底
５ｂ　上壁
７　　変流ボール
８　　突起
９　　通線ロッド
１１　通線ワイヤ
１３　上流側のマンホール
１５　下流側のマンホール
１７　ウィンチ
１８　ウィンチ
１９　クラムシェル
２０　送風機
２１　送風機
２３　ダンプトラック
２５　下水
２７　油状汚物
【図１】
2004116057.tif 000003
【図２】
2004116057.tif 000004
【図３】
2004116057.tif 000005
【図４】
2004116057.tif 000006
【図５】
2004116057.tif 000007